【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
着用したときに下腹部を平坦なシルエットとするシェイプアップ機能付きボトムスにおいて、
両脇ポケットの袋布を前身頃の前中心の裏側に縫付けて、前記袋布の下腹に当る部分には伸縮性のない生地を用い、その他の腹部の部分には伸縮性を有する生地を用いたことを特徴とするシェイプアップ機能付きボトムス。
【請求項２】
着用したときに下腹部を平坦なシルエットとするシェイプアップ機能付きボトムスにおいて、
両脇ポケットの袋布を前身頃の前中心の裏側に縫付けて、前記袋布の下腹部に当る部分には伸縮性のない生地を用いたことを特徴とするシェイプアップ機能付きボトムス。
【請求項３】
着用したときに下腹部を平坦なシルエットとするシェイプアップ機能付きボトムスにおいて、
両脇ポケットの袋布を前身頃の前中心の裏側に縫付けて、前記袋布の下腹に当る部分のみでなく、前記袋布の腹部中心線に当る部分にも伸縮性のない生地を用いたことを特徴とするシェイプアップ機能付きボトムス。
【請求項４】
着用したときに下腹部を平坦なシルエットとし、かつ、ヒップ部分が持上げられるシェイプアップ機能付きボトムスにおいて、
両脇ポケットの袋布を前身頃の前中心の裏側に縫付けて、前記袋布の下腹に当る部分には伸縮性のない生地を用い、その他の腹部の部分には伸縮性を有する生地を用いて、かつ後身頃の裏側にバックガードルとしてパワーネット生地を用いてヒップ部分を持上げるようにカーブさせて縫付けたことを特徴とするシェイプアップ機能付きボトムス。
【請求項５】
着用したときに下腹部を平坦なシルエットとし、かつ、ヒップ部分が持上げられるシェイプアップ機能付きボトムスにおいて、
表身頃の前明の脇から、反対側の前明の脇まで一周させ、かつ、ベルト部から股下に届くようにし、そして、ヒップラインの部分は二重にパワーネット生地をバックガードルとして縫付けたことを特徴とするシェイプアップ機能付きボトムス。
【請求項６】
前記バックガードルは、股下７ｃｍ以上１０ｃｍ未満としたことを特徴とする請求項４または請求項５に記載のシェイプアップ機能付きボトムス。
【請求項７】
前記バックガードルは、前記バックガードルのベルト部側の上部で、かつ、後身頃の裏側において、パワーネット生地にダーツを設けたことを特徴とする請求項４乃至請求項６のいずれか１つに記載のシェイプアップ機能付きボトムス。
【請求項８】
前記バックガードルには、股座部分から後中心に沿って弾性材が所定の長さに亘って縫付けられていることを特徴とする請求項４乃至請求項７のいずれか１つに記載のシェイプアップ機能付きボトムス。
【請求項９】
前記バックガードルは、前記バックガードルのベルト部側の上部で、かつ、後身頃の裏側において、パワーネット生地にダーツを設け、かつ、ヒップ部分を持上げるようにカーブさせてヒップラインの部分は部分的に二重にして縫付けたことを特徴とする請求項４乃至請求項８のいずれか１つに記載のシェイプアップ機能付きボトムス。
【手続補正２】
【補正対象書類名】明細書
【補正対象項目名】全文
【補正方法】変更
【補正の内容】
【発明の詳細な説明】
【発明の名称】シェイプアップ機能付きボトムス
【技術分野】
【０００１】
本発明は、ズボン（パンツ）・スカート等のボトムスの下腹部やヒップ部を締め付けることによって、下腹部やヒップラインを美しく見せることができるシェイプアップ機能付きボトムスに関するものである。
【背景技術】
【０００２】
ボトムス、特に婦人用ズボン（パンツ）においては、着用したときにヒップラインが締まって高い位置にあった方が、若々しく見栄えが良い。しかし、肉体の方は年齢とともにヒップ部分が下がって行くため、パンツを着用したときのヒップラインも次第に下がって若々しさを失って行く。また、下腹部は締まって見えた方が見栄えが良いが、これも人によっては弛んできてパンツを着用したときに出っ張って見える。
【０００３】
そこで、特許文献１においては、弾力性布等を用いて腹・下腹・腰の脂肪が引き締め合い、尻左右の脂肪を個別に引き締め上げ、背筋を伸ばす矯正着としての補整着を提案している。この補整着はＴバックの尻中央部分が腹部部分と引き合うように縫製され、また腰部分と下腹部部分が引き合うように縫製され、さらに尻中央部分と下腹部部分が股下部分を介して縫製されることによって、全体が連動され引き合うことによって皮下脂肪が引き締められるものとしている。
【特許文献１】特開２００２−２２７００４号公報
【発明の開示】
【発明が解決しようとする課題】
【０００４】
しかしながら、上記特許文献１に記載の補整着においては、その上に着用するボトムス（パンツ・スカート等）に当りが出て見栄えが悪く、着け心地も良くない。また、通常の下着の上に補整着を着用し、その上にさらに通常のボトムスを着用しなければならず、着脱が面倒であるという問題点があった。
【０００５】
そこで、本発明は、通常の下着の上に直接着用するだけで着心地良く下腹部やヒップ部分を引き締めてスタイル良く見せることができるシェイプアップ機能付きボトムスを提供することを課題とするものである。
【課題を解決するための手段】
【０００６】
請求項１の発明にかかるシェイプアップ機能付きボトムスは、両脇ポケットの袋布を前身頃の前中心の裏側に縫付けて、前記袋布の下腹に当る部分には伸縮性のない生地を用い、その他の腹部の部分には伸縮性を有する生地を用いたものである。
【０００７】
請求項２の発明にかかるシェイプアップ機能付きボトムスは、両脇ポケットの袋布を前身頃の前中心の裏側に縫付けて、前記袋布の下腹部に当る部分には伸縮性のない生地を用いたものである。
【０００８】
請求項３の発明にかかるシェイプアップ機能付きボトムスは、両脇ポケットの袋布を前身頃の前中心の裏側に縫付けて、前記袋布の下腹に当る部分のみでなく、前記袋布の腹部中心線に当る部分にも伸縮性のない生地を用いたものである。
【０００９】
請求項４の発明にかかるシェイプアップ機能付きボトムスは、両脇ポケットの袋布を前身頃の前中心の裏側に縫付けて、前記袋布の下腹に当る部分には伸縮性のない生地を用い、その他の腹部の部分には伸縮性を有する生地を用いて、かつ後身頃の裏側にバックガードルとしてパワーネット生地を用いてヒップ部分を持上げるようにしたものである。
【００１０】
請求項５の発明にかかるシェイプアップ機能付きボトムスは、表身頃の前明の脇から、反対側の前明の脇まで一周させ、かつ、ベルト部から股下に届くようにし、そして、ヒップラインの部分は二重にパワーネット生地をバックガードルとして縫付けたものである。
【００１１】
請求項６の発明にかかるシェイプアップ機能付きボトムスの前記バックガードルは股下７ｃｍ以上１０ｃｍ未満としたものである。
【００１２】
請求項７の発明にかかるシェイプアップ機能付きボトムスの前記バックガードルは、前記バックガードルのベルト部側の上部で、かつ、後身頃の裏側において、パワーネット生地にダーツを設けたものである。
【００１３】
請求項８の発明にかかるシェイプアップ機能付きボトムスの前記バックガードルには、股座部分から後中心に沿って弾性材が所定の長さに亘って縫付けられているものである。
【００１４】
請求項９の発明にかかるシェイプアップ機能付きボトムスの前記バックガードルは、前記バックガードルのベルト部側の上部で、かつ、後身頃の裏側において、パワーネット生地にダーツを設け、かつ、ヒップ部分を持上げるようにカーブさせてヒップラインの部分は部分的に二重にして縫付けたものである。
【発明の効果】
【００１５】
請求項１の発明にかかるシェイプアップ機能付きボトムスは、両脇ポケットの袋布が前身頃の前中心の裏側に縫付けられて、袋布の下腹に当る部分には伸縮性のない生地を用い、その他の腹部の部分には伸縮性を有する生地を用いている。これによって、着用したときに下腹に当る部分の生地に伸縮性がないために、下腹が出ている人でも押え付けられて平坦な下腹部のシルエットが得られる。
【００１６】
このようにして、通常の下着の上に直接着用するだけで着心地良く下腹部を引き締めてスタイル良く見せることができるシェイプアップ機能付きボトムスとなる。
【００１７】
請求項２の発明にかかるシェイプアップ機能付きボトムスは、両脇ポケットの袋布が前身頃の前中心の裏側に縫付けられて、前記袋布の下腹部に当る部分には伸縮性のない生地を用いている。これによって、着用したときに下腹部の生地に伸縮性がないために、腹部及び下腹部が出ている人でも押え付けられて平坦な腹部・下腹部のシルエットが得られる。
【００１８】
このようにして、通常の下着の上に直接着用するだけで着心地良く腹部を引き締めてスタイル良く見せることができるシェイプアップ機能付きボトムスとなる。
【００１９】
請求項３の発明にかかるシェイプアップ機能付きボトムスは、両脇ポケットの袋布を前身頃の前中心の裏側に縫付けて、袋布の下腹に当る部分のみならず腹部中心線に当る部分にも伸縮性のない生地を用いたものである。
【００２０】
即ち、本発明のシェイプアップ機能付きボトムスは、着用したときに腹部中心線及び下腹に当る部分の生地が伸縮性がないために、腹部及び下腹が出ている人でも押え付けられて平坦な腹部・下腹部のシルエットが得られるとともに、パワーネット生地からなるバックガードルによって、ヒップ部分が弛み気味の人でもヒップ部分が持上げられて、美しいヒップラインが形成される。
【００２１】
このようにして、通常の下着の上に直接着用するだけで着心地良く腹部・下腹部を引き締めてスタイル良く見せることができるシェイプアップ機能付きボトムスとなる。
【００２２】
請求項４の発明にかかるシェイプアップ機能付きボトムスは、両脇ポケットの袋布を前身頃の前中心の裏側に縫付けて、袋布の下腹に当る部分には伸縮性のない生地を用い、かつ、後身頃の裏側にバックガードルとしてパワーネット生地を用いてヒップ部分を持上げるようにカーブさせて縫付けたものである。
【００２３】
即ち、本発明のシェイプアップ機能付きボトムスは、着用したときに下腹に当る部分の生地が伸縮性がないために、下腹が出ている人でも押え付けられて平坦な下腹部のシルエットが得られるとともに、パワーネット生地からなるバックガードルによって、ヒップ部分が弛み気味の人でもヒップ部分が持上げられて、美しいヒップラインが形成される。
【００２４】
このようにして、通常の下着の上に直接着用するだけで着心地良く下腹部を引き締めるとともにヒップラインを持ち上げてスタイル良く見せることができるシェイプアップ機能付きボトムスとなる。
【００２５】
請求項５の発明にかかるシェイプアップ機能付きボトムスは、表身頃の前明の直ぐ脇からベルト部に股下まで届くようにヒップラインの部分は二重にしてパワーネット生地を縫付けてさらに反対側の前明の脇まで一周させて縫付けたものである。これによって、着用したときにパワーネット生地の伸縮力で下腹部も締め付けられ、ヒップ部分も持ち上げられて、下腹が出ている人でも平坦な下腹部のシルエットが得られるとともに、ヒップ部分が弛み気味の人でもヒップ部分が持上げられて、美しいヒップラインが形成される。
【００２６】
このようにして、通常の下着の上に直接着用するだけで着心地良く下腹部を引き締めるとともにヒップラインを持ち上げてスタイル良く見せることができるシェイプアップ機能付きボトムスとなる。
【００２７】
請求項６の発明にかかるシェイプアップ機能付きボトムスは、バックガードルを股下７ｃｍ以上１０ｃｍ未満としたものである。したがって、請求項４または請求項５に記載の効果に加えて、バックガードルの股下が７ｃｍ未満であると、短すぎてヒップラインを持ち上げる効果が得られ難く、またバックガードルの股下が１０ｃｍ以上であると長すぎてパワーネット生地による締め付けて持ち上げる効果がヒップ部分まで及ばない。即ち、短すぎず長すぎず適度な股下長さとすることによって、ヒップ部分が弛み気味の人でもヒップ部分が持上げられて、美しいヒップラインが形成される。
【００２８】
このようにして、通常の下着の上に直接着用するだけで着心地良くヒップラインを持ち上げてスタイル良く見せることができるシェイプアップ機能付きボトムスとなる。
【００２９】
請求項７の発明にかかるシェイプアップ機能付きボトムスは、後身頃の裏側にバックガードルとしてパワーネット生地を用いて前記バックガードルのベルト部側の上部においてパワーネット生地にダーツを設け、かつ、ヒップ部分を持上げるようにしたものである。したがって、請求項４乃至請求項６のいずれか１つに記載の効果に加えて、ダーツ部分のみは後身頃に縫付けられていないため、ダーツ部分の伸縮によってヒップ部分を立体的に見せることができ、かつヒップ部分が弛み気味の人でもヒップ部分が持上げられて、美しいヒップラインが形成される。また、構造が簡単なため製造が容易であり、製造コストを低減することができる。
【００３０】
このようにして、簡単な構造で製造もより容易であって低コスト化でき、通常の下着の上に直接着用するだけで着心地良くヒップラインを持ち上げてスタイル良く見せることができるシェイプアップ機能付きボトムスとなる。
【００３１】
請求項８の発明にかかるシェイプアップ機能付きボトムスは、バックガードルには股座部分から後中心に沿って弾性材が所定の長さに亘って縫付けられているものである。ここで、「弾性材」としては、ゴムベルト、ゴム紐、ゴムテープ等がある。このように、請求項４乃至請求項７のいずれか１つに記載の効果に加えて、バックガードルの後中心の股座部分から上に弾性材を縫付けることによって、この部分がギャザーになりヒップ部分の丸みを強調して包み込むことができ、ヒップ部分が弛み気味の人でもヒップ部分が持上げられて、美しいヒップラインが形成される。
【００３２】
このようにして、通常の下着の上に直接着用するだけで着心地良くヒップラインを持ち上げてスタイル良く見せることができるシェイプアップ機能付きボトムスとなる。
【００３３】
請求項９の発明にかかるシェイプアップ機能付きボトムスは、後身頃の裏側にバックガードルとしてパワーネット生地を用いて前記バックガードルのベルト部側の上部においてパワーネット生地にダーツを設け、かつ、ヒップ部分を持上げるようにカーブさせてヒップラインの部分は部分的に二重にして縫付けたものである。これによって、請求項４乃至請求項８のいずれか１つに記載の効果に加えて、着用したときにパワーネット生地からなるバックガードルによって、ヒップ部分が弛み気味の人でもヒップ部分が持上げられて、美しいヒップラインが形成される。また、バックガードルの左右の上端においてパワーネット生地にダーツが設けられているため、ダーツ部分の伸縮によってヒップ部分を立体的に見せることができ、より美しいヒップラインが形成される。
【００３４】
このようにして、通常の下着の上に直接着用するだけで着心地良くヒップラインを持ち上げてスタイル良く見せることができるシェイプアップ機能付きボトムスとなる。
【発明を実施するための最良の形態】
【００３５】
以下、本発明の実施の形態について、図面を参照しつつ説明する。以下に示す本発明の各実施の形態は、本発明のシェイプアップ機能付きボトムスを主に婦人用パンツ（ズボン）に適用した場合を例示するものである。
【００３６】
実施の形態１
まず、本発明の実施の形態１について、図１乃至図４を参照して説明する。
【００３７】
図１は本発明の実施の形態１にかかるシェイプアップ機能付きボトムスとしての婦人用パンツを正面から見た全体図である。図２は本発明の実施の形態１にかかるシェイプアップ機能付きボトムスの両脇ポケット袋布の一方（右側脇ポケット）を透視して見た状態を示す透視図である。図３（ａ），（ｂ）は本発明の実施の形態１にかかるシェイプアップ機能付きボトムスの両脇ポケット袋布の一方（右側脇ポケット）の作製方法を示す説明図、（ｃ）は使用状態を示す説明図である。図４は本発明の実施の形態１にかかるシェイプアップ機能付きボトムスの展開仕様を示す図である。
【００３８】
図１に示されるように、本実施の形態１にかかるシェイプアップ機能付きボトムスとしての婦人用パンツ１は、ベルト部２に複数のベルト通し３が取付けられ、両脇にファスナー付き脇ポケット４が設けられている。これらのファスナー付き脇ポケット４の袋布５は、前中心（ＦＣ）の前ファスナーの脇に縫付けられている。なお、両脚部下端の裾部分はロックルイス始末されている。
【００３９】
図２に示されるように、この袋布５は１枚の裏布と３枚の表布が縫い合わされることによって形成されている。表布を構成する３枚の生地５ａ，５ｂ，５ｃのうち、生地５ａは伸縮性の多少ある生地であるが、生地５ｂ，５ｃは伸縮性の全くない特殊な生地が用いられており、これら３枚の生地５ａ，５ｂ，５ｃはそれぞれの境界で約１ｃｍ重ねられて、ジグザグに縫い合わされている。こうしてできた３枚の生地５ａ，５ｂ，５ｃからなる表布が、１枚の裏布５ｄに周辺を縫付けられて袋布５となり、この袋布５は想像線で示されるようにベルト部２と前ファスナー取付け部９と脇線Ｓとに縫付けられている。なお、裏布５ｄは生地５ａと同様の伸縮性の多少ある生地からなる。
【００４０】
ここで、ベルト部２ｂには伸縮性の全くない生地５ｂが縫付けられるため、ベルト部２ｂの芯としても伸縮性のないインベル芯が用いられ、一方ベルト部２ａには伸縮性のある生地５ａが縫付けられるため、ベルト部２ａの芯としても伸縮性のあるゴム芯が用いられる。これらのインベル芯とゴム芯は縫付けられて繋ぎ合わされ、その上にベルト通し３が取付けられて縫い目を覆い隠している。さらに、生地５ａの縫合されない斜めの線は想像線で示されるようにファスナー付きの脇ポケット口４を形成しており、同じく想像線で示される前身頃の一部６と対向する前身頃との間にファスナーが取付けられる。
【００４１】
これを斜視図で表すと、図３（ａ）に示されるように３枚の生地５ａ，５ｂ，５ｃからなる表布が１枚の裏布５ｄに周辺を縫付けられて、図３（ｂ）に示されるように袋布５となり、図３（ｃ）に示されるように脇ポケット４として使用される。
【００４２】
さらに婦人用パンツ１の全体構造とその効果について、図４を参照して説明する。図４に示されるように、ゴム芯のベルト部２ａとインベル芯のベルト部２ｂの縫着部には、前述の如くベルト通し３が取付けられて縫い目を覆い隠している。前中心（ＦＣ）のベルト部にはカギホックの雄側８と雌側７がそれぞれ縫付けられ、これらを嵌合させることによって前明を閉じることができ、前ファスナー９を閉じて着用することができる。
【００４３】
ここで、前中心ＦＣと脇線Ｓの間の裏側には破線で示されるように袋布５が縫付けられており（図示省略されているが、前中心ＦＣの反対側も同様である。）、図２で説明したように、袋布５の表布の一部即ち生地５ｂ，５ｃは伸縮性が全くないため、この婦人用パンツ１を着用することによって前中心ＦＣの両脇（腹部中心線）と下腹部が押え付けられて、腹部・下腹部が出ている人でも美しい平坦な腹部・下腹部のシルエットが得られる。
【００４４】
このようにして、本実施の形態１にかかる婦人用パンツ１は、通常の下着の上に直接着用するだけで、着心地良く腹部中心線及び下腹部を引き締めてスタイル良く見せることができる。
【００４５】
なお、本実施の形態１においては、腹部中心線と下腹部に当る袋布５の部分に伸縮性のない生地を用いたが、下腹部の弛みのみが気になる場合には、下腹部に当る袋布５の部分のみに伸縮性のない生地を用いても構わない。
【００４６】
実施の形態２
次に、本発明の実施の形態２について、図５乃至図７を参照して説明する。
【００４７】
図５は本発明の実施の形態２にかかるシェイプアップ機能付きボトムスとしての婦人用パンツを背面から見た全体図である。図６は本発明の実施の形態２にかかるシェイプアップ機能付きボトムスのバックガードル部分を示す拡大図である。図７は本発明の実施の形態２にかかるシェイプアップ機能付きボトムスの展開仕様を示す図である。
【００４８】
図５に示されるように、本実施の形態２にかかるシェイプアップ機能付きボトムスとしての婦人用パンツ１１は、ベルト部１２に複数のベルト通し１３が取付けられ、ベルト部１２の下から股下よりさらに下の部分まで、左右２枚ずつのパワーネット生地１４ａ，１４ｂが後身頃の裏側に設けられている。そして、股下から左右のヒップラインに沿って第３のパワーネット生地１４ｃが脇線Ｓまで縫付けられている。このようにして、婦人用パンツ１１の後身頃の裏側にバックガードル１４が形成されている。
【００４９】
このバックガードル１４部分について、図６を参照してさらに詳しく説明する。図６に示されるように、後中心ＢＣ側から第１の後身１４ａ、第２の後身１４ｂ、そしてこれらに重なって第３の後身１４ｃが斜めに縫付けられる。第１の後身１４ａの内股部分は後身頃に止め付けられ、第１の後身１４ａの後中心ＢＣ部分は、図６に示されるバックガードル１４の左側と対になる右側のバックガードル１４の後中心ＢＣ部分と約１ｃｍ重ねてジグザグミシンで縫われ、第１の後身１４ａと第２の後身１４ｂも約１ｃｍ重ねてジグザグミシンで縫われる。さらに、第１の後身１４ａの後中心ＢＣの重ね縫いした股座部分には、弾性材としてのゴムベルト１５が所定の長さに亘って縫付けられている。
【００５０】
そして、第１の後身１４ａと第２の後身１４ｂに重ねて、第３の後身１４ｃが両端を約１ｃｍずつジグザグミシンで縫付けられる。また、脇線Ｓは後身頃と合わせてロックをかけ地縫いされる。また、図６に示されるように、バックガードル１４の股下部分の長さは約７ｃｍとされている。バックガードル１４の股下が短すぎるとヒップラインを持ち上げる効果が得られ難く、またバックガードル１４の股下が長すぎるとパワーネット生地による締め付けて持ち上げる効果がヒップ部分まで及ばないからである。即ち、短すぎず長すぎず適度な股下長さとすることによって、ヒップ部分が弛み気味の人でもヒップ部分が持上げられて、美しいヒップラインが形成される。
【００５１】
このように第１の後身１４ａの後中心ＢＣの股座部分に弾性材としてのゴムベルト１５を叩くことによって、この部分がギャザーになりヒップ部分の丸みを強調して包み込むことができる。また、第１の後身１４ａと第２の後身１４ｂを一体にせず縦方向に２枚に接いでいるのも、ヒップ部分の丸みを強調するためである。
【００５２】
さらに婦人用パンツ１１の全体構造とその効果について、図７を参照して説明する。図７に示されるように、ゴム芯のベルト部１２ａとインベル芯のベルト部１２ｂの縫着部には、ベルト通し１３が取付けられて縫い目を覆い隠している。なお、本実施の形態２の婦人用パンツ１１においては、ベルト部１２の全周をゴム芯としても良い。前中心ＦＣのベルト部１２にはカギホックの雄側１７ａと雌側１７ｂがそれぞれ縫付けられ、さらにスナップの雄側１８ａと雌側１８ｂもそれぞれ縫付けられ、これらを嵌合させることによって前明を閉じることができ、前ファスナーを閉じて着用することができる。
【００５３】
ここで、後中心ＢＣの左右にはパワーネット生地１４ａ，１４ｂ，１４ｃからなるバックガードル１４が縫付けられているため、これによって着用するだけでバックガードル１４によって、ヒップ部分が弛み気味の人でも特にパワーネット生地１４ｃによってヒップ部分が持上げられて、美しいヒップラインが形成される。
【００５４】
このようにして、本実施の形態２にかかる婦人用パンツ１１においては、通常の下着の上に直接着用するだけで着心地良くヒップラインを持ち上げてスタイル良く見せることができる。
【００５５】
実施の形態３
次に、本発明の実施の形態３について、図８乃至図１１を参照して説明する。
【００５６】
図８（ａ）は本発明の実施の形態３にかかるシェイプアップ機能付きボトムスとしての婦人用パンツを正面から見た一部省略図、（ｂ）は背面から見た一部省略図である。図９は本発明の実施の形態３にかかるシェイプアップ機能付きボトムスの両脇ポケット袋布の一方（右側脇ポケット）を透視して見た状態を示す透視図である。図１０は本発明の実施の形態３にかかるシェイプアップ機能付きボトムスのバックガードル部分を示す拡大図である。図１１は本発明の実施の形態３にかかるシェイプアップ機能付きボトムスの展開仕様を示す図である。
【００５７】
図８（ａ）に示されるように、本実施の形態３にかかるシェイプアップ機能付きボトムスとしての婦人用パンツ２１は、ベルト部２に複数のベルト通し３が取付けられ、両脇にファスナー付き脇ポケット４が設けられている。これらのファスナー付き脇ポケット４の袋布５は、前中心の前ファスナーの脇に縫付けられている。また、図８（ｂ）に示されるように、婦人用パンツ２１の背面には、ベルト部２の下から股下よりさらに下の部分まで、左右２枚ずつのパワーネット生地１４ａ，１４ｂが後身頃の裏側に設けられている。そして、股下から左右のヒップラインに沿って第３のパワーネット生地１４ｃが脇線Ｓまで縫付けられている。このようにして、婦人用パンツ２１の後身頃の裏側にバックガードル１４が形成されている。
【００５８】
即ち、本実施の形態３にかかる婦人用パンツ２１は、上記実施の形態１の婦人用パンツ１と実施の形態２の婦人用パンツ１１とを合体させたような構造を持っており、それぞれの機能を併せ持ったものとなっている。
【００５９】
したがって、図９に示されるように、婦人用パンツ２１の脇ポケット４の袋布５は１枚の裏布と３枚の表布が縫い合わされることによって形成されている。表布を構成する３枚の生地５ａ，５ｂ，５ｃのうち、生地５ａは伸縮性の多少ある生地であるが、生地５ｂ，５ｃは伸縮性の全くない特殊な生地が用いられており、これら３枚の生地５ａ，５ｂ，５ｃはそれぞれの境界で約１ｃｍ重ねられて、ジグザグに縫い合わされている。こうしてできた３枚の生地５ａ，５ｂ，５ｃからなる表布が、１枚の裏布５ｄに周辺を縫付けられて袋布５となり、この袋布５は想像線で示されるようにベルト部２と前ファスナー取付け部９と脇線Ｓとに縫付けられている。なお、裏布５ｄは生地５ａと同様の伸縮性の多少ある生地からなる。
【００６０】
ここで、ベルト部２ｂには伸縮性の全くない生地５ｂが縫付けられるため、ベルト部２ｂの芯としても伸縮性のないインベル芯が用いられ、一方ベルト部２ａには伸縮性のある生地５ａが縫付けられるため、ベルト部２ａの芯としても伸縮性のあるゴム芯が用いられる。これらのインベル芯とゴム芯は縫付けられて繋ぎ合わされ、その上にベルト通し３が取付けられて縫い目を覆い隠している。さらに、生地５ａの縫合されない斜めの線は想像線で示されるようにファスナー付きの脇ポケット口４を形成しており、同じく想像線で示される前身頃の一部６と対向する前身頃との間にファスナーが取付けられる。
【００６１】
また、婦人用パンツ２１のバックガードル１４は、図１０に示されるように、後中心ＢＣ側から第１の後身１４ａ、第２の後身１４ｂ、そしてこれらに重なって第３の後身１４ｃが斜めに縫付けられる。第１の後身１４ａの内股部分は後身頃に止め付けられ、第１の後身１４ａの後中心ＢＣ部分は、図１０に示されるバックガードル１４の左側と対になる右側のバックガードル１４の後中心ＢＣ部分と約１ｃｍ重ねてジグザグミシンで縫われ、第１の後身１４ａと第２の後身１４ｂも約１ｃｍ重ねてジグザグミシンで縫われる。さらに、第１の後身１４ａの後中心ＢＣの重ね縫いした股座部分には、弾性材としてのゴムベルト１５が所定の長さに亘って縫付けられている。そして、第１の後身１４ａと第２の後身１４ｂに重ねて、第３の後身１４ｃが両端を約１ｃｍずつジグザグミシンで縫付けられる。また、脇線Ｓは後身頃と合わせてロックをかけ地縫いされる。
【００６２】
また、図１０に示されるように、バックガードル１４の股下部分の長さは約７ｃｍとされている。バックガードル１４の股下が短すぎるとヒップラインを持ち上げる効果が得られ難く、またバックガードル１４の股下が長すぎるとパワーネット生地による締め付けて持ち上げる効果がヒップ部分まで及ばないからである。即ち、短すぎず長すぎず適度な股下長さとすることによって、ヒップ部分が弛み気味の人でもヒップ部分が持上げられて、美しいヒップラインが形成される。
【００６３】
このように第１の後身１４ａの後中心ＢＣの股座部分に弾性材としてのゴムベルト１５を叩くことによって、この部分がギャザーになりヒップ部分の丸みを強調して包み込むことができる。また、第１の後身１４ａと第２の後身１４ｂを一体にせず縦方向に２枚に接いでいるのも、ヒップ部分の丸みを強調するためである。
【００６４】
さらに婦人用パンツ２１の全体構造とその効果について、図１１を参照して説明する。図１１に示されるように、ゴム芯のベルト部２ａとインベル芯のベルト部２ｂの縫着部には、ベルト通し３が取付けられて縫い目を覆い隠している。前中心ＦＣのベルト部にはカギホックの雄側８と雌側７がそれぞれ縫付けられ、これらを嵌合させることによって前明を閉じることができ、前ファスナーを閉じて着用することができる。
【００６５】
ここで、前中心ＦＣと脇線Ｓの間の裏側には破線で示されるように袋布５が縫付けられており（図示省略されているが、前中心ＦＣの反対側も同様である。）、図９で説明したように、袋布５の表布の一部即ち生地５ｂ，５ｃは伸縮性が全くないため、この婦人用パンツ２１を着用することによって前中心ＦＣの両脇（腹部中心線）と下腹部が押え付けられて、腹部・下腹部が出ている人でも美しい平坦な腹部・下腹部のシルエットが得られる。
【００６６】
また、後中心ＢＣの左右にはパワーネット生地１４ａ，１４ｂ，１４ｃからなるバックガードル１４が縫付けられているため、これによって着用するだけでバックガードル１４によって、ヒップ部分が弛み気味の人でも特にパワーネット生地１４ｃによってヒップ部分が持上げられて、美しいヒップラインが形成される。
【００６７】
このようにして、本実施の形態３にかかる婦人用パンツ２１は、通常の下着の上に直接着用するだけで、着心地良く腹部中心線及び下腹部を引き締めるとともに、ヒップラインを持ち上げてスタイル良く見せることができる。
【００６８】
なお、本実施の形態３の婦人用パンツ２１においては、腹部中心線と下腹部に当る袋布５の部分に伸縮性のない生地を用いたが、下腹部の弛みのみが気になる場合には、下腹部に当る袋布５の部分のみに伸縮性のない生地を用いても構わない。
【００６９】
実施の形態４
次に、本発明の実施の形態４について、図１２乃至図１４を参照して説明する。
【００７０】
図１２（ａ）は本発明の実施の形態４にかかるシェイプアップ機能付きボトムスとしての婦人用パンツを正面から見た全体図、（ｂ）は背面から見た全体図である。図１３は本発明の実施の形態４にかかるシェイプアップ機能付きボトムスの展開仕様を示す図である。図１４は本発明の実施の形態４にかかるシェイプアップ機能付きボトムスの裏側から見た展開仕様を示す図である。
【００７１】
図１２（ａ），（ｂ）に示されるように、本実施の形態４にかかるシェイプアップ機能付きボトムスとしての婦人用パンツ３１は、ベルト部２２から股下近傍にかけてパワーネット生地からなるガードル部分２４が全周に亘って設けられている。なお、両脚部下端の裾部分はロックルイス始末されている。
【００７２】
そして、図１３の展開仕様図に示されるように、ベルト部２２の前中心ＦＣにはカギホックの雄側２８と雌側２７がそれぞれ縫付けられており、これらを嵌合させて前ファスナーを閉じることによって着用することができる。
【００７３】
さらに、図１４の裏側展開仕様図に示されるように、ガードル部分２４は後中心ＢＣの左右に各３枚のパワーネット生地２４ａ，２４ｂ，２４ｃから構成されている。パワーネット生地２４ａは図示しない右側の左右対称のパワーネット生地２４ａと約１ｃｍ重ねられて縫付けられ、この重なり部分には所定の長さのゴムテープ２５が縫付けられている。また、パワーネット生地２４ａの左端はパワーネット生地２４ｂと約１ｃｍ重ねられてジグザグミシンで縫付けられ、これら縫付けられたパワーネット生地２４ａとパワーネット生地２４ｂの裏側から、図１４に示されるような形状のパワーネット生地２４ｃがやはりジグザグミシンで縫付けられる。したがって、パワーネット生地２４ｃの部分のみ、パワーネット生地が二重になっている。
【００７４】
このようにして形成されたガードル部分２４は、ベルト部２２と前中心ＦＣにおいて前身頃に縫付けられ、他の部分は内股先端が前身頃股座部分に止められるのみで、あとの部分はフリーになっている。これによって、着用したときにパワーネット生地の伸縮力で下腹部も締め付けられ、ヒップ部分も持ち上げられて、下腹が出ている人でも平坦な下腹部のシルエットが得られるとともに、ヒップ部分が弛み気味の人でもヒップ部分が持上げられて、美しいヒップラインが形成される。
【００７５】
このようにして、本実施の形態４にかかる婦人用パンツ３１は、通常の下着の上に直接着用するだけで着心地良く下腹部を引き締めるとともにヒップラインを持ち上げてスタイル良く見せることができる。
【００７６】
実施の形態５
次に、本発明の実施の形態５について、図１５及び図１６を参照して説明する。
【００７７】
図１５は本発明の実施の形態５にかかるシェイプアップ機能付きボトムスとしての婦人用パンツを背面から見た全体図である。図１６は本発明の実施の形態５にかかるシェイプアップ機能付きボトムスのバックガードル部分を示す拡大図である。
【００７８】
図１５に示されるように、本実施の形態５にかかるシェイプアップ機能付きボトムスとしての婦人用パンツ４１は、ベルト部３２に複数のベルト通し３３が取付けられ、ベルト部３２の下から股下よりさらに下の部分まで、左右２枚ずつのパワーネット生地３４が後身頃の裏側に縫付けられている。このようにして、婦人用パンツ４１の後身頃の裏側に左右１対のバックガードル３４が形成されている。そして、これらのバックガードル３４の上端中央部分には、破線で示されるようにそれぞれパワーネット生地をたたんで形成されたダーツ３６が１つずつ設けられている。このように簡単な構造であるため、製造も容易であり、製造コストを低減することができる。
【００７９】
このバックガードル３４部分について、図１６を参照してさらに詳しく説明する。図１６に示されるように、バックガードル３４の後中心ＢＣ部分は、図１６に示されるバックガードル３４の左側と対になる右側のバックガードル３４の後中心ＢＣ部分と約１ｃｍ重ねて通常のステッチ縫いでミシンで縫われ、さらに左右のバックガードル３４の後中心ＢＣの重ね縫いした股座部分には、弾性材としてのゴムベルト３５が所定の長さに亘って縫付けられている。そして、バックガードル３４の上端には、前述の如くパワーネット生地をたたんで形成されたダーツ３６が１つずつ設けられている。また、脇線Ｓは後身頃と合わせてロックをかけ地縫いされる。
【００８０】
このように、本実施の形態５にかかるシェイプアップ機能付きボトムスとしての婦人用パンツ４１においては、ダーツ３６部分のみは後身頃に縫付けられていないため、ダーツ３６部分の伸縮によってヒップ部分を立体的に見せることができ、ヒップ部分が弛み気味の人でもヒップ部分が持上げられて、美しいヒップラインが形成される。さらに、バックガードル３４の後中心ＢＣの股座部分に弾性材としてのゴムベルト３５を叩くことによって、この部分がギャザーになりヒップ部分の丸みを強調して包み込むことができる。
【００８１】
このようにして、本実施の形態５にかかる婦人用パンツ４１は、簡単な構造で製造もより容易であって低コスト化でき、通常の下着の上に直接着用するだけで着心地良くヒップラインを持ち上げてスタイル良く見せることができる。
【００８２】
上記各実施の形態においては、シェイプアップ機能付きボトムスの具体例として婦人用パンツについて説明したが、ボトムスとしては他にも紳士用ズボン、八部丈パンツ、膝丈パンツ、スカート（特にタイトスカート）等にも適用することができる。
【００８３】
また、上記各実施の形態においては、前明部分を結合する結合具としてカギホック及びスナップを用いているが、結合具としては他にもドット釦、ボタンとボタンホール、接着布（マジックテープ（登録商標））等を用いることができる。
【００８４】
本発明を実施するに際しては、シェイプアップ機能付きボトムスのその他の部分の構成、形状、数量、材質、大きさ、接続関係等についても、上記各実施の形態に限定されるものではない。
【図面の簡単な説明】
【００８５】
【図１】図１は本発明の実施の形態１にかかるシェイプアップ機能付きボトムスとしての婦人用パンツを正面から見た全体図である。
【図２】図２は本発明の実施の形態１にかかるシェイプアップ機能付きボトムスの両脇ポケット袋布の一方（右側脇ポケット）を透視して見た状態を示す透視図である。
【図３】図３（ａ），（ｂ）は本発明の実施の形態１にかかるシェイプアップ機能付きボトムスの両脇ポケット袋布の一方（右側脇ポケット）の作製方法を示す説明図、（ｃ）は使用状態を示す説明図である。
【図４】図４は本発明の実施の形態１にかかるシェイプアップ機能付きボトムスの展開仕様を示す図である。
【図５】図５は本発明の実施の形態２にかかるシェイプアップ機能付きボトムスとしての婦人用パンツを背面から見た全体図である。
【図６】図６は本発明の実施の形態２にかかるシェイプアップ機能付きボトムスのバックガードル部分を示す拡大図である。
【図７】図７は本発明の実施の形態２にかかるシェイプアップ機能付きボトムスの展開仕様を示す図である。
【図８】図８（ａ）は本発明の実施の形態３にかかるシェイプアップ機能付きボトムスとしての婦人用パンツを正面から見た一部省略図、（ｂ）は背面から見た一部省略図である。
【図９】図９は本発明の実施の形態３にかかるシェイプアップ機能付きボトムスの両脇ポケット袋布の一方（右側脇ポケット）を透視して見た状態を示す透視図である。
【図１０】図１０は本発明の実施の形態３にかかるシェイプアップ機能付きボトムスのバックガードル部分を示す拡大図である。
【図１１】図１１は本発明の実施の形態３にかかるシェイプアップ機能付きボトムスの展開仕様を示す図である。
【図１２】図１２（ａ）は本発明の実施の形態４にかかるシェイプアップ機能付きボトムスとしての婦人用パンツを正面から見た全体図、（ｂ）は背面から見た全体図である。
【図１３】図１３は本発明の実施の形態４にかかるシェイプアップ機能付きボトムスの展開仕様を示す図である。
【図１４】図１４は本発明の実施の形態４にかかるシェイプアップ機能付きボトムスの裏側から見た展開仕様を示す図である。
【図１５】図１５は本発明の実施の形態５にかかるシェイプアップ機能付きボトムスとしての婦人用パンツを背面から見た全体図である。
【図１６】図１６は本発明の実施の形態５にかかるシェイプアップ機能付きボトムスのバックガードル部分を示す拡大図である。
【符号の説明】
【００８６】
１，１１，２１，３１，４１  シェイプアップ機能付きボトムス
４  脇ポケット
５  袋布
５ａ  伸縮性を有する生地
５ｂ，５ｃ  伸縮性のない生地
１４，３４  バックガードル
１４ａ，１４ｂ，１４ｃ，２４ａ，２４ｂ，２４ｃ  パワーネット生地
２４  ガードル部分
３６  ダーツ
ＢＣ  後中心
ＦＣ  前中心
Ｓ  脇線